(57)【要約】【課題】  適応変調による通信を行う通信装置において、通信品質値の変化の状況も考慮した、通信品質値に適した変調方式による通信を実行する。【解決手段】  通信相手との間で時分割複信にて実行される通信の品質を示す通信品質値を所定フレーム毎に取得するとともに記憶し、現在までの所定期間に含まれる参照期間の通信品質値に基づいて、通信で適用される変調方式を決定し、所定期間においてデータを取得できないフレームが継続している場合に、最低の変調クラスに対応する変調方式に決定し、その後、通信品質値を取得しないフレームでデータを取得できた場合には、記憶した通信品質値に基づいて、変調方式を決定する。【選択図】図１
2010258745.tif 000002
【特許請求の範囲】
【請求項１】
通信相手との間で時分割複信にて実行される通信の品質を示す通信品質値を所定フレーム毎に取得する通信品質値取得手段と、
前記取得された通信品質値を記憶する通信品質値記憶手段と、
現在までの所定期間に含まれる参照期間の前記通信品質値に基づいて、前記通信で適用される変調方式を決定する変調方式決定手段と、
前記所定期間においてデータを取得できないフレームが継続している場合に、最低の変調クラスに対応する変調方式を前記変調方式決定手段に決定させる制御を実行する第１の制御手段と、
前記第１の制御手段の制御により、前記変調方式決定手段において前記最低の変調クラスに対応する変調方式に決定された後に、前記通信品質値を取得しないフレームにおいてデータを取得できた場合には、前記通信品質値記憶手段に記憶された通信品質値に基づいて、前記変調方式決定手段に変調方式を決定させる制御を実行する第２の制御手段と、
を含むことを特徴とする通信装置。
【請求項２】
前記通信相手における移動の有無を判定する判定手段と、をさらに含み、
前記判定手段で前記通信相手が移動していないと判定された場合において、前記第２の制御手段の制御を実行する、
ことを特徴とする請求項１に記載の通信装置。
【請求項３】
前記現在までの所定期間に含まれる前記通信品質値に基づいて前記参照期間を決定する参照期間決定手段と、をさらに含み、
前記第１の制御手段の制御により、前記変調方式決定手段において前記送信データ量が最低となる変調方式に決定された後に、
前記通信品質値を取得できた場合には、前記変調方式決定手段は、前記参照期間における前記通信品質値に基づいて、前記通信で適用される変調方式を決定する、
ことを特徴とする請求項１または２に記載の通信装置。
【請求項４】
前記参照期間決定手段は、
前記所定期間前から現在までの間に含まれる期間における前記通信品質値の変化量が所定量未満である場合、
前記参照期間を第１の期間に決定し、
前記所定期間前から現在までの間に含まれる期間における前記通信品質値の変化量が前記所定量以上である場合、
前記参照期間を前記第１の期間より短い第２の期間に決定する、
ことを特徴とする請求項３に記載の通信装置。
【請求項５】
前記第１の期間は、前記所定期間と等しい、
ことを特徴とする請求項４に記載の通信装置。
【請求項６】
前記第２の期間は、前記所定期間に含まれる、前記通信品質値の変化が前記所定量以上となった時点以降の期間である、
ことを特徴とする請求項５に記載の通信装置。
【請求項７】
前記変調方式決定手段は、
前記参照期間における前記通信品質値の平均値に基づいて前記変調方式を決定する、
ことを特徴とする請求項１乃至６のいずれか一項に記載の通信装置。
【請求項８】
前記通信品質値は、当該通信装置から送信され前記通信相手により受信される信号に基づいて得られる値であり、
前記変調方式は、当該通信装置から前記通信相手へ送信される信号の変調方式である、
ことを特徴とする請求項１乃至７のいずれか一項に記載の通信装置。
【請求項９】
前記通信品質値は、前記通信相手から送信され当該通信装置により受信される信号に基づいて得られる値であり、
前記変調方式は、前記通信相手から当該通信装置へ送信される信号の変調方式である、
ことを特徴とする請求項１乃至８のいずれか一項に記載の通信装置。
【請求項１０】
通信相手との間で時分割複信にて実行される通信の通信品質を示す通信品質値を所定フレーム毎に取得する取得ステップと、
前記取得された通信品質値を記憶する記憶ステップと、
現在までの所定期間に含まれる参照期間の前記通信品質値に基づいて、前記通信で適用される変調方式を決定する第１の決定ステップと、
前記所定期間においてデータを取得できないフレームが継続する場合に、最低の変調クラスに対応する変調方式に決定する第２の決定ステップと、
前記決定するステップおいて前記送信データ量が最低となる変調方式に決定された後に、前記通信品質値を取得しないフレームにおいてデータを取得できた場合には、前記記憶された通信品質値に基づいて、変調方式を決定する第３の決定ステップと、
を含むことを特徴とする変調方式決定方法。
【発明の詳細な説明】
【技術分野】
【０００１】
本発明は、適応変調による通信を行う通信装置および変調方式決定方法に関する。
【背景技術】
【０００２】
適応変調による通信を行う通信装置は、通信状況に応じて変調方式を決定している。適応変調方式は、例えば特許文献１に記載されている。
【０００３】
このような通信装置では、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）値等の通信品質値を通信相手から所定フレームごとに取得している。そして、通信品質値を取得する度に、直近の所定期間に含まれる複数の通信品質値の平均を算出する。通信装置では、この算出した通信品質値の平均に基づいて変調方式を決定している。
【０００４】
例えば、通信装置は、過去の所定期間に取得されたＳＩＮＲ値の平均値に基づいて、変調方式を決定する。図３は、ＳＩＮＲ値と、当該ＳＮＲ値で決定される変調方式や送信データレートが規定されている各変調クラス（ＣＭＣ：Ｃｕｒｒｅｎｔ  Ｍｏｄｕｌａｔｉｏｎ  Ｃｌａｓｓ）の関係を示す図である。図３において、各変調クラスに対して規定されるＳＩＮＲ値は、各変調クラスで行われる通信における所要品質を示すＳＩＮＲ値であり、この値以上のＳＩＮＲ値が得られる場合には当該変調方式が選択される。
【先行技術文献】
【特許文献】
【０００５】
【特許文献１】特開２００６−１４２０５号公報
【発明の概要】
【発明が解決しようとする課題】
【０００６】
しかしながら、移動体通信においては、障害物や通信相手となる通信装置の移動などによる通信環境の急激な変化に伴い、通信品質も急激に変化している。そのため、前述した通信品質値の平均値に基づいて変調方式を決定する通信装置は、通信品質が急激に変化する場合、変調方式を通信環境に適したものに決定できないことがある。
【０００７】
例えば、通信環境が急激に悪化し、その後、急激に復旧する状況が通信品質値を取得しないフレームで生じると、通信品質値を取得するフレーム以降でなければ、その変化が変調方式の決定に反映されないことになる。さらに、その場合、通信環境の急激な悪化に伴う過去の低い通信品質値の影響で低くなるため、決定される変調方式も、変調多値数の低い変調方式になる。そのため、通信環境の変化への対応が遅く、通信環境に適した変調方式に決定できないことがある。
【０００８】
本発明は上記の課題に鑑みてなされたものであり、適応変調による通信を行う通信装置において、通信品質値の変化の状況も考慮した、通信品質値に適した変調方式による通信を実行することを目的とする。
【課題を解決するための手段】
【０００９】
上記の課題を解決するために、本発明に係る通信装置は、通信相手との間で時分割複信にて実行される通信の品質を示す通信品質値を所定フレーム毎に取得する通信品質値取得手段と、前記取得された通信品質値を記憶する通信品質値記憶手段と、現在までの所定期間に含まれる参照期間の前記通信品質値に基づいて、前記通信で適用される変調方式を決定する変調方式決定手段と、前記所定期間においてデータを取得できないフレームが継続している場合に、最低の変調クラスに対応する変調方式を前記変調方式決定手段に決定させる制御を実行する第１の制御手段と、前記第１の制御手段の制御により、前記変調方式決定手段において前記最低の変調クラスに対応する変調方式に決定された後に、前記通信品質値を取得しないフレームにおいてデータを取得できた場合には、前記通信品質値記憶手段に記憶された通信品質値に基づいて、前記変調方式決定手段に変調方式を決定させる制御を実行する第２の制御手段と、を含む。
【００１０】
本発明によれば、本発明に係る通信装置は、通信品質値の変化の状況も考慮した、通信品質値に適した変調方式による通信を実行することができる。
また、本発明に係る通信装置において、前記通信相手における移動の有無を判定する判定手段と、をさらに含み、前記判定手段で前記通信相手が移動していないと判定された場合において、前記第２の制御手段の制御を実行する。
また、本発明に係る通信装置において、前記現在までの所定期間に含まれる前記通信品質値に基づいて前記参照期間を決定する参照期間決定手段と、をさらに含み、前記第１の制御手段の制御により、前記変調方式決定手段において前記最低の変調クラスに対応する変調方式に決定された後に、前記通信品質値を取得できた場合には、前記変調方式決定手段は、前記参照期間における前記通信品質値に基づいて、前記通信で適用される変調方式を決定する。
【００１１】
また、本発明に係る通信装置において、前記参照期間決定手段は、前記所定期間前から現在までの間に含まれる期間における前記通信品質値の変化量が所定量未満である場合、前記参照期間を第１の期間に決定し、前記所定期間から現在までの間に含まれる期間における前記通信品質値の変化量が前記所定量以上である場合、前記参照期間を前記第１の期間より短い第２の期間に決定する。
【００１２】
また、本発明に係る通信装置において、前記第１の期間は、前記所定期間と等しい。
【００１３】
さらに、本発明に係る通信装置において、前記第２の期間は、前記所定期間に含まれる、前記通信品質値の変化が前記所定量以上となった時点以降の期間である。
【００１４】
本発明によれば、本発明に係る通信装置は、通信品質値が急激に変化する場合にも、通信品質値に対し適切な変調方式による通信を実行することができる。
【００１５】
また、本発明に係る通信装置において、前記変調方式決定手段は、前記参照期間前から現在における前記通信品質値の平均値に基づいて前記変調方式を決定する。
【００１６】
また、本発明に係る通信装置において、前記通信品質値は、当該通信装置から送信され前記通信相手により受信される信号に基づいて得られる値であり、前記変調方式は、当該通信装置から前記通信相手へ送信される信号の変調方式である。
【００１７】
また、本発明に係る通信装置において、前記通信品質値は、前記通信相手から送信され当該通信装置により受信される信号に基づいて得られる値であり、前記変調方式は、前記通信相手から当該通信装置へ送信される信号の変調方式である。
【００１８】
また、本発明に係る変調方式決定方法は、通信相手との間で時分割複信にて実行される通信の品質を示す通信品質値を所定フレーム毎に取得する取得ステップと、前記取得された通信品質値を記憶する記憶ステップと、現在までの所定期間に含まれる参照期間の前記通信品質値に基づいて、前記通信で適用される変調方式を決定する第１の決定ステップと、前記所定期間においてデータを取得できないフレームが継続する場合に、最低の変調クラスに対応する変調方式に決定する第２の決定ステップと、前記決定するステップおいて前記送信データ量が最低となる変調方式に決定された後に、前記通信品質値を取得しないフレームにおいてデータを取得できた場合には、前記記憶された通信品質値に基づいて、変調方式を決定する第３の決定ステップと、を含む。
【図面の簡単な説明】
【００１９】
【図１】本発明に係る基地局装置の構成を示す図である。
【図２】本実施の形態に係る基地局装置および移動局装置により行われる通信を示す図である。
【図３】ＳＩＮＲ値と変調クラスの関係を示す図である。
【図４】通信品質値記憶部の、ＳＩＮＲターゲット値を記憶する構造を示す模式図である。
【図５】ＳＩＮＲターゲット値の変化の一例を示す図である。
【図６Ａ】本実施の形態に係る基地局装置によって行われる変調方式の決定処理を示す図である。
【図６Ｂ】従来技術に係る基地局装置によって行われる変調方式の決定処理を示す図である。
【図７】本実施の形態に係る基地局装置で行われる変調方式の決定処理を示すフローチャートである。
【図８】本実施の形態に係る基地局装置で行われる変調方式の決定処理を示すフローチャートである。
【図９】本実施の形態に係る基地局装置で行われる変調方式の決定処理を示すフローチャートである。
【発明を実施するための形態】
【００２０】
本発明の実施の形態について図面を参照して説明する。  
【００２１】
図１は、本発明に係る基地局装置１０１の構成を示す図である。基地局装置１０１は、移動局装置と時分割複信（ＴＤＤ）または時分割多元接続（ＴＤＭＡ）にて通信を行う。移動局装置と通信を行う際、基地局装置１０１は、直近の所定期間における通信品質値（ＳＩＮＲ値）の変化の状況を参照し、変化の状況に基づいて決定される期間におけるＳＩＮＲ値の平均に基づいて、変調方式を決定している。
【００２２】
図２は、本実施の形態に係る基地局装置１０１および通信相手である移動局装置により行われる通信を示す図である。移動局装置と基地局装置１０１は、各フレームにおいて交互に、上り信号７０１，７０３，７０５，７０７および下り信号７０２，７０４，７０６，７０８を送信している。
【００２３】
移動局装置は、フレームｉｎ（ｉｎ＝奇数）（所定フレーム）において、前々フレームで基地局装置１０１から受信された下り信号の通信品質を表すＳＩＮＲエラーレポートを、上り信号７０１で基地局装置１０１に通知する。
【００２４】
基地局装置１０１は、通知されたＳＩＮＲエラーレポートを基に下り信号の変調方式を決定し、フレームｉｎ＋１（ｉｎ＋１＝偶数）において、下り信号７０４で移動局装置に通知する。なお、下り信号７０４は、下り信号７０２と同じ変調方式により変調されて送信される。
【００２５】
基地局装置１０１は、下り信号７０６の変調処理から、上記で決定された変調方式による変調を実施する。
【００２６】
さらに、移動局装置は、下り信号７０２の通信品質を算出し、得られるＳＩＮＲエラーレポートをフレームｉｎ＋２（ｉｎ＋２＝奇数）において、上り信号７０５で基地局装置１０１に通知する。
【００２７】
基地局装置１０１は、通知されたＳＩＮＲエラーレポートを基に下り信号の変調方式を決定し、フレームｉｎ＋３（ｉｎ＋３＝偶数）において、下り信号７０８で移動局装置に通知する。なお、下り信号７０８は、下り信号７０６と同じ変調方式により変調されて送信される。
【００２８】
以上の処理を繰り返して、基地局装置１０１は、移動局装置から通知されるＳＩＮＲエラーレポートに基づいて、下り信号の変調方式を決定している。
【００２９】
次に、図１における基地局装置１０１の構成を以下に説明する。基地局装置１０１は、無線通信部１０２、復調部１０３、復号部１０４、通信品質値記憶部１０５、参照期間決定部１０６、変調方式決定部１０７、符号化部１０８、変調部１０９、メモリー１１０、制御部１１１、アンテナ１１２を含む。このうち、復調部１０３、復号部１０４、通信品質値記憶部１０５、参照期間決定部１０６、変調方式決定部１０７、符号化部１０８、変調部１０９、制御部１１１は、たとえばＣＰＵまたはＤＳＰで構成される。
【００３０】
アンテナ１１２は、基地局装置１０１の通信相手である移動局装置から送信される信号を受信して、無線通信部１０２へ出力する。また、アンテナ１１２は、無線通信部１０２から入力される信号を電波として送信する。
【００３１】
無線通信部１０２は、ローノイズアンプ、パワーアンプ、局部発振器、ミキサ、フィルタなどを含む。無線通信部１０２は、アンテナ１１２から入力される信号に対しダウンコンバート、増幅などの処理を行って、得られる信号を復調部１０３に出力する。また、無線通信部１０２は、変調部１０９から入力される信号に対しアップコンバートなどの処理を行って、得られる信号をアンテナ１１２に出力する。
【００３２】
復調部１０３は、Ａ／Ｄ変換器、直並列変換器、ＦＦＴ演算器、並直列変換器などを含む。復調部１０３は、無線通信部１０２から入力される信号に対し、Ａ／Ｄ変換、直並列変換、離散フーリエ変換、並直列変換などの処置を行って、得られる信号を復号部１０４へ出力する。
【００３３】
復号部１０４は、復調部１０３から入力される信号から受信データを生成し、得られる受信データを通信品質値記憶部１０５および図示しない上位層へ出力する。
【００３４】
通信品質値記憶部１０５は、ＳＩＮＲターゲット値を取得し、直近の５つ（直近の１０フレーム）のＳＩＮＲターゲット値を記憶する。ＳＩＮＲターゲット値とは、通信相手である移動局装置において受信された、基地局装置１０１から送信された信号のＳＩＮＲ値であり、移動局装置から送信され基地局装置１０１により受信される信号（受信データ）から得られる。
【００３５】
図３に示されるように、基地局装置１０１が実行している適応変調による通信では、変調クラスごと、すなわち変調クラスに対応する変調方式ごとに必要とされるＳＩＮＲ値（所要ＳＩＮＲ値）が規定されている。移動局装置は、基地局装置１０１から送信された信号を受信すると、受信された信号に基づいて、該信号のＳＩＮＲ値と該信号が変調された変調方式（変調クラス）における所要ＳＩＮＲ値との差分である、ＳＩＮＲエラーレポートを２フレームに一度算出し、基地局装置１０１に送信する。通信品質値記憶部１０５は、式（１）を用いて、受信されたＳＩＮＲエラーレポートからＳＩＮＲターゲット値を算出する。
【００３６】
ＳＩＮＲターゲット値＝所要ＳＩＮＲ値−ＳＩＮＲエラーレポート  …（１）
通信品質値記憶部１０５は、こうして得られるＳＩＮＲターゲット値の、直近の５つの値、すなわち直近の１０フレームの値を記憶する。また、変調方式決定部１０７が算出した通信品質値の平均値も併せて記憶する。通信品質値記憶部１０５の動作の詳細は後述する。
【００３７】
参照期間決定部１０６は、通信品質値記憶部１０５に記憶される通信品質値に基づいて、変調方式の決定する際のパラメータである参照期間を決定する。参照期間決定部１０６の動作の詳細は後述する。
【００３８】
変調方式決定部１０７は、通信品質値記憶部１０５に記憶される通信品質値に基づいて、基地局装置１０１が送信する下り信号の変調で適用される変調方式（変調クラス）を決定する。決定された変調方式は変調部１０９へ通知されるとともに、下り信号を介して移動局装置に通知される。変調方式決定部１０７の動作の詳細は後述する。
【００３９】
符号化部１０８は、基地局装置１０１が送信する送信データに対し符号化処理を行い、得られる信号を変調部１０９に出力する。
【００４０】
変調部１０９は、符号化部１０８から入力されるデータに対し、変調方式決定部１０７から通知される変調方式に基づく変調を行い、得られるデータを無線通信部１０２へ出力する。
【００４１】
メモリー１１０は、半導体メモリーやハードディスクなどからなり、基地局装置１０１で処理されるデータや、使用されるパラメータなどを記憶する。例えば、メモリー１１０は、図３に示される変調クラスとＳＩＮＲ値の関係を記憶している。
【００４２】
制御部１１１は、移動局装置から送信からデータを受信する際の、各フレームにおけるフレームエラーレート（ＦＥＲ）に関する値を取得するＦＥＲ判定部１１１０と、通信相手となる通信中の移動局装置の移動の有無を判定する移動判定部１１１１を含む。
【００４３】
ＦＥＲ判定部１１１０は、各フレームにおけるＦＥＲが所定の閾値を超えるか否かを判定する。そして、所定の閾値を超えるフレームが継続した場合（本実施例においては、５フレームとする。）、最低の変調クラス（例えば、ＢＰＳＫ）に決定させる制御を実行するため（第１の制御手段）、変調方式決定部１０７に指示する。
また、ＦＥＲ判定部１１１０は、変調方式決定部１０７に送信データレートが最低となる変調クラスに決定させた後、通信品質値を取得しない受信フレームにおけるＦＥＲが所定の閾値を超えないことを検出すると、ＦＥＲが所定の閾値を超える前の、通信品質記憶部１０５に記憶される通信品質値の平均値に基づいて、変調方式決定部１０７に変調クラスに決定させる（第２の制御手段）ための指示を行う。
【００４４】
移動判定部１１１１は、通信中の移動局装置の移動の有無を判定する。移動局装置の移動の有無を判定する方法としては、例えば、移動局装置にＧＰＳ等を利用して取得させた現在位置情報を利用して判定したり、基地局装置１０１がアダプティブアレイアンテナを備える場合には、指向性制御を実行する際に把握する移動局装置が位置する方向を利用することで移動の有無を判定したりする。
そして、移動判定部１１１１は、移動局装置が移動していないと判定した場合に、ＦＥＲ判定部１１１０に対し、その旨を通知し、通信品質値を取得しない受信フレームにおけるＦＥＲが所定の閾値を超えないことを検出した際の変調方式決定部１０７への指示（第２の制御手段）を実行の有無を判断させる。
【００４５】
ここで、通信品質値記憶部１０５、参照期間決定部１０６、変調方式決定部１０７の動作を詳細に説明する。
【００４６】
通信品質値記憶部１０５は、移動局装置から送信されるデータに含まれるＳＩＮＲエラーレポートからＳＩＮＲターゲット値を算出し、記憶する。通信品質値記憶部１０５は、例えばＦＩＦＯの構造を有する。図４は、通信品質値記憶部１０５の、ＳＩＮＲターゲット値を記憶する構造を示す模式図である。ＳＩＮＲターゲット値が算出されると、変数ＶＡＲ［０］〜ＶＡＲ［４］は右方向（引数が増加する方向）に１段シフトして、算出されたＳＩＮＲターゲット値が新たにＶＡＲ［０］として記憶される。こうして、常に直近の所定期間（本実施の形態では、５つ、すなわち１０フレームに相当）のＳＩＮＲターゲット値がＶＡＲ［０］〜ＶＡＲ［４］として記憶される。
ここで、ＦＥＲ判定部１１１０で、ＦＥＲが所定の閾値を超えると判定されたフレームが生じると、通信品質値記憶部１０５は、直前のフレームのＳＩＮＲターゲット値を、当該フレームのＳＩＮＲターゲット値として記憶する。そして、所定の閾値を超えるフレームが５フレーム以上継続し、変調方式決定部１０７に、最低となる変調クラス（例えば、ＢＰＳＫ）に決定させた後も、ＦＥＲが所定の閾値を超えると判定されたフレームが連続して生じる場合には、当該フレームにおけるＳＩＮＲターゲット値は０として記憶する。
【００４７】
参照期間決定部１０６は、通信品質値記憶部１０５に記憶されるＳＩＮＲターゲット値を参照する。このとき、参照期間決定部１０６は、直近の所定期間に含まれる特定のフレームにおけるＳＩＮＲターゲット値と、同様に直近の所定期間に含まれる、その直後に取得したＳＩＮＲターゲット値との変化量を参照している。そして、この２つのＳＩＮＲターゲット値の変化量が所定量（本実施の形態では１０ｄＢ）以上か判定する。
【００４８】
そして、参照期間決定部１０６は、ＳＩＮＲターゲット値の変化量が１０ｄＢ未満である場合、参照期間を、所定期間（５つのＳＩＮＲターゲット値、すなわち１０フレーム）と等しい期間（第１の期間）に決定する。一方、ＳＩＮＲターゲット値の変化量が１０ｄＢ以上である場合、参照期間決定部１０６は、参照期間を所定量の変化が終わった時点から現在までの期間（第２の期間）に決定する。
【００４９】
変調方式決定部１０７は、通信品質値記憶部１０５に記憶されているＳＩＮＲターゲット値のうち、参照期間決定部１０６で決定された期間の値の平均値を算出し、この平均値に基づいて変調方式を決定する。また、算出した平均値を、通信品質値記憶部１０５に記憶させる。
加えて、変調方式決定部１０７は、制御部１１１からの指示に応じた変調方式を決定する。まず、ＦＥＲが所定の閾値を超える受信フレームが継続（５フレーム）した場合、制御部１１１からの指示に応じて、最低となる変調クラスに対応する変調方式を決定する。その後、通信品質値を取得しない受信フレームにおけるＦＥＲが所定の閾値を超えないこと（ＦＥＲが所定の閾値を超えるフレームの継続が終了したこと）を検出すると、通信品質記憶部１０５に記憶される通信品質値の平均値に基づいて、変調方式を決定する。この変調方式の決定は、ＦＥＲが所定の閾値を超える直前の受信フレームにおいて算出されるＳＩＮＲターゲット値の平均値を利用する。
【００５０】
図５は、ＳＩＮＲターゲット値の変化の一例を示す図である。図５において、フレーム番号ｉ１，ｉ３，ｉ５，ｉ７，…は、２ずつ加算される奇数とする。ＳＩＮＲエラーレポートは奇数フレームにおいて送信されるため、図５も奇数フレームについてのみ示す。図５に示すＳＩＮＲターゲット値が得られる通信が行われた場合について説明する。
【００５１】
フレームｉ９のデータが受信されると、通信品質値記憶部１０５は、フレームｉ１からフレームｉ９のＳＩＮＲターゲット値をＶＡＲ［４］〜ＶＡＲ［０］として記憶している。
【００５２】
参照期間決定部１０６は、通信品質値記憶部１０５に記憶されているこれらの値を参照し、１０ｄＢ以上の変化が起きているか判定する。この場合、１０ｄＢ以上の変化は起きていないので、参照期間決定部１０６は、参照期間を５つのＳＩＮＲターゲット値に相当する期間、すなわち１０フレームとし、変調方式決定部１０７に通知する。
【００５３】
変調方式決定部１０７は、参照期間決定部１０６から通知された期間、すなわち１０フレーム（５つ）のＳＩＮＲ値ターゲット値の平均値を算出し、この平均値に基づいて変調方式を決定する。平均値は、（６．２＋５．７＋６．０＋６．２＋６．４）／５＝６．１ｄＢであるため、図３に示される関係により変調方式は、変調クラス３に対応する変調方式となる。
【００５４】
次に、フレームｉ１１のデータが受信されると、通信品質値記憶部１０５は、フレームｉ３からフレームｉ１１のＳＩＮＲターゲット値をＶＡＲ［４］〜ＶＡＲ［０］として記憶する。
【００５５】
フレームｉ３からフレームｉ１１においては、ＳＩＮＲターゲット値に１０ｄＢ以上の変化が起きているため、参照期間決定部１０６は、参照期間を、変化が終わった時点からの期間である１つのＳＩＮＲターゲット値に相当する期間、すなわち２フレームと決定し、変調方式決定部１０７に通知する。
【００５６】
変調方式決定部１０７は、参照期間決定部１０６から通知された期間の平均値を算出し、この平均値に基づいて変調方式を決定する。ここでは参照期間が２フレームであるため、変調方式決定部１０７は、ＶＡＲ［０］に記憶されているフレームｉ１１の値２０．２ｄＢに基づいて、変調方式を決定する。決定される変調方式は、図３に示される関係により変調クラス８に対応する変調方式となる。
【００５７】
次に、フレームｉ１３のデータが受信されると、通信品質値記憶部１０５は、フレームｉ５からフレームｉ１３のＳＩＮＲターゲット値をＶＡＲ［４］〜ＶＡＲ［０］として記憶する。
【００５８】
フレームｉ５からフレームｉ１３において、ＳＩＮＲターゲット値に１０ｄＢ以上の変化が起きているため、参照期間決定部１０６は、参照期間を、変化が終わった時点からの期間である２つのＳＩＮＲターゲット値に相当する期間、すなわち４フレームと決定し、変調方式決定部１０７に通知する。
【００５９】
変調方式決定部１０７は、参照期間決定部１０６から通知された期間、すなわち４フレームのＳＩＮＲターゲット値の平均値を算出し、この平均値に基づいて変調方式を決定する。平均値は、（ＶＡＲ［０］＋ＶＡＲ［１］）／２＝（２０．２＋２１．０）／２＝２０．６ｄＢであるため、図３に示される関係により変調方式は変調クラス８に対応する変調方式になる。
【００６０】
以上の処理を繰り返し、１０ｄＢ以上の変化が直近の所定期間（１０フレーム）よりも前になると参照期間決定部１０６は、再び参照期間を１０フレームとする。
【００６１】
図６Ａは、以上で述べた、本実施の形態に係る基地局装置１０１によって行われる変調方式の決定処理を示す図である。図６Ｂは、従来技術に係る基地局装置によって行われる変調方式の決定処理を示す図である。本実施の形態に係る基地局装置１０１の変調方式は、従来技術の場合に比べ、ＳＩＮＲ値の変化への対応が早いことが分かる。
【００６２】
次に、本実施の形態に係る基地局装置１０１で行われる変調方式の決定処理を、フローチャートを用いて説明する。図７〜９は、本実施の形態に係る基地局装置１０１で行われる変調方式の決定処理を示すフローチャートである。
図７において、基地局装置１０１が移動局装置からフレームｉｎのデータを受信すると（Ｓ７０１）、ＦＥＲ判定部１１１０は、当該フレームにおけるＦＥＲが、所定の閾値を超えるか否かを判定する（Ｓ７０２）。ＦＥＲが所定の閾値を超えていれば（Ｓ７０２でＹｅｓに相当）、ＦＥＲ判定部１１１０は、さらに、ＦＥＲが所定の閾値を超えるフレームが５フレーム連続して生じたか否かを判定する（Ｓ７０３）。そして、５フレーム連続して生じれば（Ｓ７０３でＹｅｓに相当）、変調方式決定部１０７に、送信データレートが最低となる変調方式（ＢＰＳＫ）に決定する様、指示する（Ｓ７０４）。変調方式決定部１０７は、ＦＥＲ判定部１１１０からの指示に応じて、最低となる変調クラスに対応する変調方式（ＢＰＳＫ）に変調方式を決定する（Ｓ７０５）。次に、移動判定部１１１１は、移動局装置が移動中であるか否かを判定する（Ｓ７０６）。移動局装置が移動中でなければ（Ｓ７０６でＹｅｓに相当）、Ａ（図８）に移行する。
一方、ＦＥＲが所定の閾値以下（Ｓ７０２でＮｏに相当）、ＦＥＲが５フレーム連続して生じていない場合（Ｓ７０３でＮｏに相当）、移動局装置が移動中であれば（Ｓ７０６でＹｅｓに相当）、Ｂ（図９）に移行する。
図８において、基地局装置１０１が移動局装置からフレームｉｎのデータを受信すると（Ｓ８０１）、通信品質値記憶部１０５は、受信されたデータのフレーム番号が奇数か確認する（Ｓ８０２）。奇数であれば（Ｓ８０２でＹｅｓに相当）、ＦＥＲ判定部１１１０は、当該フレームにおけるＦＥＲが、所定の閾値を超えるか否かを判定する（Ｓ８０３）。ＦＥＲが所定の閾値を超えていれば（Ｓ８０３でＹｅｓに相当）、変調方式決定部１０７に、最低となる変調クラスに対応する変調方式（ＢＰＳＫ）を維持する様、指示する（Ｓ８０４）。一方、ＦＥＲが所定の閾値以下（Ｓ８０３でＮｏに相当）であれば、Ｃ（図９）に移行する。
また、偶数であれば（Ｓ８０２でＮｏに相当）、ＦＥＲ判定部１１１０は、当該フレームにおけるＦＥＲが、所定の閾値を超えるか否かを判定する（Ｓ８０３でＹｅｓに相当）。ＦＥＲが所定の閾値を超えていなければ（Ｓ８０５でＹｅｓに相当）、変調方式決定部１０７に、ＦＥＲが所定の閾値を超える前における変調方式にする様、指示する（Ｓ８０６）する。変調方式決定部１０７は、ＦＥＲ判定部１１１０からの指示に応じて、変調方式を決定し（Ｓ８０７）、Ｄ（図７）に移行する。一方、ＦＥＲが所定の閾値を超えていれば（Ｓ８０５でＮｏに相当）、引き続き、データの受信（Ｓ８０１）を継続する。
【００６３】
図９において、基地局装置１０１が移動局装置からフレームｉｎのデータを受信すると（Ｓ９０１）、通信品質値記憶部１０５は、受信されたデータのフレーム番号が奇数か確認する（Ｓ９０２）。奇数であれば（Ｓ９０２でＹｅｓに相当）、通信品質値記憶部１０５は、受信されたデータに含まれるＳＩＮＲレポートからＳＩＮＲターゲット値を算出して、ＶＡＲ［０］〜ＶＡＲ［４］として記憶されているＳＩＮＲターゲット値を更新する（Ｓ９０３）。受信したデータのフレーム番号が奇数でなければ（Ｓ９０２でＮｏに相当）、通信品質値記憶部１０５は、次のデータの受信を待つ。
【００６４】
参照期間決定部１０６は、通信品質値記憶部１０５に記憶されているＳＩＮＲターゲット値が更新されると、これらの値で１０ｄＢ以上の変化が起きているか確認する（Ｓ９０４）。
【００６５】
１０ｄＢ以上の変化が起きていなければ（Ｓ９０４でＮｏに相当）、参照期間決定部１０６は、参照期間を１０フレームと決定する（Ｓ９０６）。一方、１０ｄＢ以上の変化が起きていれば（Ｓ６０４でＹｅｓに相当）、参照期間決定部１０６は、参照期間を１０ｄＢ以上の変化が終わった時点からの期間と決定する（Ｓ９０５）。
【００６６】
変調方式決定部１０７は、参照期間決定部１０６により決定された参照期間における、ＶＡＲ［ｊ］（ｊは参照期間内の値）の平均値、すなわち、ＳＩＮＲターゲット値の平均値を算出して（Ｓ９０７）変調クラスを決定し、変調方式を変調クラスに対応するものに決定（Ｓ９０８）し、Ｄ（図７）に移行する。
【００６７】
以上の構成により、基地局装置１０１は、通信品質値の変化の状況も考慮した、通信状況に適した変調方式による通信を実行することができる。
【００６８】
例えば、ＳＩＮＲターゲット値が急激に変化する場合にも、基地局装置１０１は、ＳＩＮＲターゲット値に対し適切な変調多値数の変調方式による通信を実行することができる。
【００６９】
なお、本発明は上記実施の形態に限定されるものではなく、本発明の趣旨を逸脱しない範囲で種々変更可能であることはいうまでもない。
【００７０】
例えば、本実施の形態では、直近の５つのＳＩＮＲターゲット値において、１０ｄＢ以上の変化が起きているか判定する構成を示したが、参照するＳＩＮＲターゲット値の個数および基準とする変化量はこの値に限定されない。
【００７１】
また、本実施の形態では、所定期間と第１の期間とを同一のフレーム数にしていたが、本発明はそれに限定されず、所定期間は第１の期間に設定されている期間（フレーム数）以下であってもよい。この場合は、第１の期間は、予め定められている期間（フレーム数）となり、第２の期間は、ＳＩＮＲターゲット値の変化が所定量以上となった時点以降の期間になる。
【００７２】
さらに、本実施の形態では、連続する２つのＳＩＮＲターゲット値間で急激な変化が起きる場合に参照期間を変更する構成を示したが、本発明はこれに限定されず、３つ以上のＳＩＮＲターゲット値における変化量の合計が所定量を超える場合に参照期間を変更する構成へも変更可能である。
【００７３】
また、本実施の形態では、通信品質値としてＳＩＮＲ値およびＳＩＮＲターゲット値を用いる構成を示したが、本発明はこれに限定されず、例えばＳＮ比やエラーレートなどを用いる構成にも適用可能である。
【００７４】
また、本実施の形態では、通信品質値が急激に向上する場合を示したが、本発明はこれに限定されず、通信品質値が急激に低下する場合にも、同様に参照期間を決定することで、同様の効果を得ることができる。
【００７５】
さらに、本実施の形態では、通信品質値が急激に変化する場合に対する構成を示したが、本発明はこれに限定されず、通信品質値の傾向に応じて参照期間を変化させる、さまざまな構成を含む。
【００７６】
また、本実施の形態では、所定量以上の変化が起きた場合には参照期間を、変化が終わった時点からの期間とする構成を示したが、本発明はこれに限定されず、通常の参照期間よりも短い期間に変更する構成であれば、効果を得ることができる。
【００７７】
また、本実施の形態では、ＳＩＮＲターゲット値は、基地局装置から送信され移動局装置により受信される信号に基づいて得られ、得られるＳＩＮＲターゲット値に基づいて基地局装置から移動局装置へ送信される信号の変調方式を決定する構成を示したが、本発明はこれに限定されない。例えば、ＳＩＮＲターゲット値が移動局装置から送信され基地局装置により受信される信号に基づいて得られ、得られるＳＩＮＲターゲット値に基づいて移動局装置から基地局装置へ送信される信号の変調方式を決定する構成としてもよい。
【００７８】
さらに、本実施の形態では、本発明が移動体通信システムにおける基地局装置に適用される構成を示したが、本発明はこれに限定されず、無線、有線に関わらず、通信状況に基づいて変調方式を決定するあらゆる通信装置に適用可能である。
【符号の説明】
【００７９】
１０１  基地局装置、１０２  無線通信部、１０３  復調部、１０４  復号部、１０５、  通信品質値記憶部、１０６  参照期間決定部、１０７  変調方式決定部、１０８  符号化部、１０９  変調部、１１０  メモリー、１１１  制御部、１１１０  ＦＥＲ判定部、  １１１１  移動判定部、  １１２  アンテナ、７０１  上り信号、７０２  下り信号、７０３  上り信号、７０４  下り信号、７０５  上り信号、７０６  下り信号、７０７  上り信号、７０８  下り信号。
【図１】
2010258745.tif 000003
【図２】
2010258745.tif 000004
【図３】
2010258745.tif 000005
【図４】
2010258745.tif 000006
【図５】
2010258745.tif 000007
【図６Ａ】
2010258745.tif 000008
【図６Ｂ】
2010258745.tif 000009
【図７】
2010258745.tif 000010
【図８】
2010258745.tif 000011
【図９】
2010258745.tif 000012